(57)【要約】【課題】  ＶＨＳビデオレコーダに使用される、総てのテープカセットの種別表示時間を短くする。【解決手段】  記録媒体（２）のテープ厚及びテープ長を測定する測定装置を有する装置を用いた、テープの形式の記録媒体（２）を含む、情報の記録及び／又は再生用カセット（１）のカセット種別決定方法において、標準により、あらかじめ定められたテープ種別のクラスの点から、記録媒体（２）のクラス分けができる程度の正確さで、テープ厚の値（ｄ）を決定するため、テープ厚測定を実行する第１のステップと、テープ長の値（Ｌ）を決定する第２のステップと、テープ種別クラスのための値（ｄ）と、テープ長の値（Ｌ）を論理的にリンクして、求めているカセット種別を決定する第３のステップとを有する。【選択図】  図２
2005129228.tif 000002
【特許請求の範囲】
【請求項１】
カセット種別を示す制御変数を生成するために、又は、装置のカセット種別に依存する機能を開始するために、記録媒体（２）のテープ厚及びテープ長を測定する測定装置を有する装置を用いた、
テープ形式の記録媒体（２）を含む、情報の記録及び／又は再生用カセット（１）のカセット種別決定方法において、
ａ）標準により、あらかじめ定められたテープ種別クラスにより、記録媒体（２）のクラス分けができる程度の正確さで決定されるテープ厚の値（ｄ）を決定するために、テープ厚測定を実行する第１のステップと、
ｂ）テープ長の値（Ｌ）を決定する第２のステップと、
ｃ）テープ種別クラスのための値（ｄ）と、テープ長の値（Ｌ）を論理的にリンクして、求めているカセット種別を決定する第３のステップと、
を有することを特徴とするカセット種別決定方法。
【請求項２】
小さい円周を持つテープリール（５、６）の方を、カセット種別測定のためのテープ厚測定に、その都度、使用することを特徴とする請求項１に記載のカセット種別決定方法。
【発明の詳細な説明】
【技術分野】
【０００１】
本発明は、例えば、ＶＨＳビデオ磁気テープカセットといった、テープ形式の記録媒体で、異なるプレー時間を有する、情報の記録及び／又は再生のためのカセットの種別を決定する方法に関する。
【背景技術】
【０００２】
以下の説明において、ビデオレコーダと呼ぶ、テレビビデオ記録及び／又は再生装置のための磁気テープカセットは、外形的には同じ大きさであるにもかかわらず、それらは異なるプレー時間を有する。例えば、下表に示すように、ＶＨＳビデオレコーダに対しては、総再生時間として、３０分（Ｅ  ３０）、６０分（Ｅ  ６０）、９０分（Ｅ  ９０）、１２０分（Ｅ  １２０）、１８０分（Ｅ  １８０）、１９５分（Ｅ  １９５）、２１０分（Ｅ  ２１０）、２４０分（Ｅ  ２４０）及び３００分（Ｅ  ３００）のテープカセットが標準化され、これらは、２つの異なるリールコアの直径Ｄ０と、３つの異なるテープ厚ｄ又はテープ厚の範囲とにより実現されている。これらのテープカセットに加え、良く知られているように、カムコーダに用いられ、外形が小さく３０分（ＥＣ  ３０）と４５分（ＥＣ  ４５）のプレー時間を有する２つのテープカセットがあり、それらは、いわゆるアダプタカセットによってビデオレコーダでプレーすることができる。
【０００３】
【表１】
2005129228.tif 000003
【０００４】
そのようなテープカセットの種別識別としては、各リールコアと、その瞬時テープ量により形成される、両テープリールの、瞬時円周を、所定のテープ駆動速度での、テープリールの回転時間の測定により決定して、２つのテープリールの、瞬時円周の、それぞれの平方の和により、使用カセット種別を決定することが知られている（例えば、特許文献１参照。）。この和は比較器に供給され、対応する比較値範囲と比較される。本方法は、任意の巻取り時間で、両リールの各エリアの合計が一定であることに基づいている。しかしながら、本方法は、例えば、Ｅ１８０又はＥ２１０が使用されるような場合や、Ｅ１９５又はＥ２４０が使用される場合は、異なるテープ厚ｄにより、両テープリールの、瞬時円周の平方の和が部分的に一致することがあるため、異なるプレー時間を有するテープカセットの、明確な種別識別のためには不適切である。
【０００５】
更に、テープ走行時間の決定を介して、使用するカセット種別を識別することが知られている。テープ厚ｄの正確な測定に基づく本方法は、Ｅ１８０又はＥ２１０や、Ｅ１９５又はＥ２４０が使用される場合でも、信頼できる表示を行うが、各カセットテープの識別には、数分の時間が必要となる。
【０００６】
【特許文献１】欧州特許出願公開第２１６２６０号明細書
【発明の開示】
【発明が解決しようとする課題】
【０００７】
従って、本発明の目的は、信頼できるカセット種別表示のための時間を短くすることであり、特に、ＶＨＳビデオレコーダに使用される、総てのテープカセットの種別表示時間を短くすることである。
【課題を解決するための手段】
【０００８】
本発明におけるカセット種別決定方法によれば、
カセット種別を示す制御変数を生成するために、又は、装置のカセット種別に依存する機能を開始するために、記録媒体のテープ厚及びテープ長を測定する測定装置を有する装置を用いた、テープ形式の記録媒体を含む、情報の記録及び／又は再生用カセットのカセット種別決定方法において、標準により、あらかじめ定められたテープ種別クラスにより、記録媒体のクラス分けができる程度の正確さで決定されるテープ厚の値を決定するために、テープ厚測定を実行する第１のステップと、テープ長の値を決定する第２のステップと、テープ種別クラスのための値と、テープ長の値を論理的にリンクして、求めているカセット種別を決定する第３のステップとを有することを特徴とする。
【０００９】
本発明のカセット種別決定方法における他の実施形態によれば、
小さい円周を持つテープリールの方を、カセット種別測定のためのテープ厚測定に、その都度、使用することも好ましい。
【００１０】
本発明は、たとえ、２つのテープリールの瞬時円周の平方の和が、全体的又は部分的に一致するとしても、テープ厚とテープ長は異なるため、記録媒体のテープ厚と、テープ量又はテープ長の判定により、これらのカセットは区別され得るという知識に基づいている。原理的に、テープ厚の測定と、テープ量又はテープ長の測定は、このため、お互いに論理的にリンクされる。
【００１１】
各カセット種別は、これらの２つの異なる特徴を論理的にリンクすることによって識別することができるという事実の結果、これらの要素を正確に測定する必要はなく、この事実により、本発明は、テープカセットの比較的高速な種別識別に使用される。記録媒体のテープ厚及び／又はテープ量の大まかな検出は、各カセットの標準によって、あらかじめ定められているテープ厚又はテープ量によるクラス分けを実行することができる程度で十分である。
【００１２】
更に、本発明における方法は、テープの走行時間を測定するために、レコーダに常に設けられる回路装置に、小さな修正を行うことにより実行できるという利点を有する。
【発明を実施するための最良の形態】
【００１３】
本発明について、以下、図面を参照し、典型的な実施形態により、より詳しく説明する。
【００１４】
図１は、記録及び／又は再生装置に挿入され、２つのリールコア３及び４で巻き込まれる記録媒体２を有するテープカセット１を、本発明によるテープカセット種別決定のブロック図と共に示す図である。記録媒体２の走行方向によって、２つのリールコア３及び４は、モータ１３；１４によって駆動されるシャフト１１；１２を介して駆動される。各リールコア３；４は、パルストランスミッタ１５；１６に結合されている。対応するリールコアの各回転後に、好ましくは出力パルスＴ１，Ｔ２を生成する各パルストランスミッタ１５；１６は、以後、第１の測定回路１７、第２の測定回路１８と呼ぶ、測定回路１７；１８に電気的に接続されている。
【００１５】
情報を記録及び／又は再生するために、記録媒体２は、送り出しテープリール５と、巻取りテープリール６間を、一定速度で駆動される。この場合、駆動は、調整駆動モータ７により、テープピンチローラ９の助けをかりて駆動される、キャプスタンシャフト８の手段により周知の方法で行われる。第１の測定回路１７及び第２の測定回路１８の両方に接続する回転速度生成器１０は、キャプスタンシャフト８に結合されている。回転速度生成器１０は、同じ間隔で回転速度パルスＴＣを生成し、回転速度パルスＴＣは、一方では、記録媒体２の瞬時駆動速度を検出するために利用され、他方では、瞬時回転時間、又は、両方若しくはどちらか一方のリールコアの、瞬時テープリールの円周を、パルストランスミッタ１５；１６の２つのパルスＴ１；Ｔ２間の、回転速度パルスＴＣの数を測定することによって測定し、例えばテープ厚、テープ長、カセット種別及び／又は記録媒体２の残りのプレー時間を測定するために利用される。回転速度生成器は、記録媒体２が駆動されるとき、リールコアの回転毎に、数百の回転速度パルスＴＣを生成するように構成される。他の方法として、瞬時回転時間、又は、両方若しくはどちらか一方のリールコアの、瞬時テープリールの円周を測定するための回転速度パルスＴＣに代えて、装置内の他の周波数生成器からの一定周波数信号を、利用することも可能である。
【００１６】
好ましい実施形態において、本質的にカウント回路を含む第１の測定回路１７は、パルストランスミッタ１５と、回転速度生成器１０と、メモリ回路２１と共に測定装置２０を形成し、測定装置２０により、記録媒体２のテープ厚測定として、少なくともリールコアの１回転後に、送り出しテープリール５の円周の変化が測定される。この場合、各テープリール円周測定は次の関係式（１）に基づいている。
【００１７】
【数１】
2005129228.tif 000004
なお、Ｕ＝テープリールの円周
ｄｃ＝キャプスタンシャフト８の直径
ｆｃ＝キャプスタンシャフトの１回転における回転速度パルスＴＣの数
ｋ＝テープリールの１回転における回転速度パルスＴＣの測定数
を示す。
【００１８】
他の方法として、破線１９によって示されるように、巻取りテープリール６の円周の変化を、テープ厚の測定値として、測定することも、もちろん可能である。
【００１９】
測定回路１７の出力は、メモリ回路２１を介して第１の演算装置２２の第１入力に接続される。更に、出力は、第１の演算装置２２の第２入力に直接接続されている。測定回路１７の出力から、後述する、記録媒体２のテープ量又はテープ長を決定する第２の測定装置３０に割り当てられている第２の演算装置３１の、第１入力への接続が存在する。少なくともリールコアの１回転毎の、回転速度パルスＴＣの数又は時間が、メモリ回路２１に格納される。
【００２０】
好ましくは、記録媒体２のテープ厚測定として、少なくともリールコアの１回転後に、送り出しテープリール５又は巻取りテープリール６の円周の変化を検出するための第１の測定で、リールコア１回転の回転速度パルスＴＣの数又は時間が決定され、メモリ回路２１に格納される。格納された回転速度パルスＴＣの数又はリールコア１回転の時間と、続く回転の回転速度パルスＴＣの数又はリールコア１回転の時間との差が、第１の演算装置２２で、第１の演算処理により形成され、円周変化の差が次の関係式（２）で第２の演算処理により決定される。
【００２１】
【数２】
2005129228.tif 000005
テープ厚は、次の関係式（３）によって、円周の変化より得られる。
【００２２】
【数３】
2005129228.tif 000006
符号の意味は次のとおりである。
【００２３】
ΔＵ＝テープリールの円周変化
ｄ＝テープ厚
ｋ１＝第１の測定で測定されるリールコア１回転の回転速度パルスＴＣの数
ｋ２＝第２の測定で測定されるリールコア１回転の回転速度パルスＴＣの数
Δｎ＝第１の測定と第２の測定間でのリールコアの回転数の差
【００２４】
この場合、テープ厚ｄは、回転速度パルスＴＣの差の測定を、頻繁に実行する程、及び／又は、キャプスタンシャフト８の第１の測定と第２の測定での回転速度パルスＴＣの差ｋ２−ｋ１が大きい程より正確に決定でき、例えば、これは、キャプスタンシャフト８の１回転当たりの回転速度パルス数の所定値と共に、第１の測定及び第２の測定間のリールコア回転数を多くすることにより達成される。
【００２５】
しかしながら、本発明によるカセット種別の識別には、テープ厚ｄを、正確に決定する必要はない。本発明によれば、回転速度パルスＴＣの差ｋ２−ｋ１を求めるための、リールコアの回転数Δｎは、テープカセット１の記録媒体２をクラス分けできる程度、又は、テープ種別のクラスを区別できる程度に、大きければよい。例えば、直径ｄｃ＝３．５２ｍｍのキャプスタンシャフト８と、キャプスタンシャフト８の回転当たりの回転速度パルスＴＣ数が、ｆｃ＝３６０である、ＶＨＳビデオレコーダの場合、利用できる回転速度パルスＴＣの差ｋ２−ｋ１には、リールコアのちょうど５回転で十分であり、種別が決定されるべきテープカセット１の記録媒体２を、テープ厚範囲１７〜２０μｍ、１５．１〜１６．１μｍ又は１２．５〜１３．０μｍのいずれかに割り当てることができる。よく知られているように、そのようなテープ厚の範囲は、標準によって定められ、ノミナル値とも呼ばれる、個別の値であるテープ厚ｄと、最大許容幅に基づいている。各回転速度パルスＴＣの差ｋ２−ｋ１による、どのテープ厚ｄ、又は、どのテープ厚範囲に割り当てるかの評価は、第１の演算装置２２に格納され、例えば、テープ種別のクラス又はテープ厚範囲について、それぞれの上限及び下限値といった、対応する比較値を含む、比較値の範囲の手段により、差ｋ２−ｋ１の評価後に実行される。評価結果として、各テープ厚ｄの特徴を示す出力信号は、第１の演算装置２２から、表示装置４１に接続される評価回路４０に送られる。本発明によると、カセット種別は、テープ厚ｄを示す出力信号と、第２の測定装置３０及び第２の演算装置３１の各テープ長を示す出力信号の評価によって決定される。
【００２６】
２つのテープリール５及び６の、瞬時円周を測定する第２の測定装置３０は、本質的にカウント回路を含む第１の測定回路１７及び第２の測定回路１８と、回転速度生成器１０と、２つのパルストランスミッタ１５，１６とから構成され、２つのパルストランスミッタ１５，１６の出力信号は、２つのテープリール５，６の１回転当たりの回転速度パルスＴＣの数を測定するために使用される。第２の測定回路１８の出力は、第２の演算装置３１の第２入力に接続されている。第２の測定装置３０は、２つのテープリール５，６の、瞬時円周に相当する出力信号を生成するために、２つのパルストランスミッタ１５，１６の出力信号と、回転速度生成器１０の回転速度パルスＴＣを使用し、これら出力信号は、第２の演算装置３１に供給される。第２の演算装置３１において、２つのテープリール５，６の、瞬時円周の平方の和が、第２の測定装置３０の出力信号から形成され、テープ長を決定するために評価回路４０に供給される。
【００２７】
テープカセット１の記録媒体２のテープ長Ｌは、２つのテープリール５，６の、瞬時円周の平方の和により、次の関係式（４）に基づき特徴づけられる。
【００２８】
【数４】
2005129228.tif 000007
符号の意味は次のとおりである。
【００２９】
Ｌ＝テープカセットの記録媒体のテープ長
Ｕ５２＝テープリール５の、瞬時円周の平方
Ｕ６２＝テープリール６の、瞬時円周の平方
Ｕｋ２＝リールコア３又は４の円周の平方
【００３０】
しかしながら、本発明によるカセット種別の決定において、テープ長Ｌを正確に決定する必要はない。テープ長Ｌの決定は、例えば、評価回路４０に格納されている比較値範囲を使用し、第２の演算装置３１の出力信号を評価することにより実行される。これらの比較値範囲のそれぞれは、テープ長のノミナル値に対して、標準によりあらかじめ定められた許容幅に基づく、テープ長範囲の上限及び下限値といった、比較値から成る。しかしながら、テープ長又はテープ長範囲での、明確な記述は、テープリール５，６の、瞬時円周の平方の和に対して、他のカセット種別と重複しないテープカセット種別の場合のみ可能である。しかし、このことは同時にＥ２４０とＥ１８０テープカセットを、テープ長Ｌを測定することのみにより、後に、市場に投入されるＥ１９５又はＥ２１０ＶＨＳテープカセットから区別することができることを意味する。テープ長Ｌは、前述の関係式（４）から、２つのテープリール５，６の、瞬時円周の平方の和と、２つのリールコアの、円周の平方Ｕｋ２との和に加え、正確なテープ厚ｄを知ることで判定される。一方、本発明による、テープ長Ｌの正確な決定、及び、テープ厚ｄの正確な決定が必要でない、カセット種別決定のフローチャート例を、図２に示す。本発明は、カムコーダに使用される大変小さなＥＣ３０及びＥＣ４５のカセット種別決定も、もちろん、カバーするものである。すでに述べたように、これらのカセットは、駆動システムを介して巻取りテープリールコアを駆動するアダプタカセットを用いてプレーされる。従って、これらのカセット種別のために得られる、テープ長の測定及びテープ厚の測定値は、同じテープ厚を有する通常のカセットの場合での、テープ長及びテープ厚の測定値と同じではなく、対応する駆動システムの増加係数に比例して大きくなる。
【００３１】
これに関連して、個別ブロック１７，１８，２１，２２，３１及び４０は、本発明のより良い理解のために使用している。通常、個別ブロック又は複数のこれらのブロックは、制御回路又はマイクロコンピュータを含む集積回路に集積化され、制御回路又はマイクロコンピュータにより、表示装置４１及び図示しない操作装置との相互作用を制御する。
【００３２】
本発明によると、複数のリールコアの回転を、テープ厚の測定に使用し、カセットタイプの識別に要する時間はテープ厚の測定により決定されるので、カセット種別の最適な短い決定時間が、常に保証されるように、回路５０が設けられる。回路５０は２つのリールコア３，４の１回転当たり回転速度パルスＴＣの数を相互に比較し、比較結果に基づき、小さい円周を有するテープのリールを、それぞれの場合において、カセット種別の測定のための、テープ厚ｄを測定するために使用する。
【００３３】
図２は、本発明によるカセット種別検出方法の論理的なシーケンスを示すフローチャートである。本発明によるテープ厚測定結果の評価のための、複数の判定ステップ２００〜２０４と、前記ステップとリンクし、本発明によるテープ長測定結果を用いた、判定ステップ３００〜３０３とから成り、テープカセット１の各カセット種別を決定することができる。
【００３４】
カセット種別の決定は、カセット種別決定処理の始まりで、測定回路１７，１８及びメモリ回路２１の内容を、値０に設定することで実行される。その後、本発明によるカセット種別決定のための回転速度パルスＴＣのカウントが始まる。ブロック２００において、テープ厚の測定値が、カセット種別Ｅ３００のテープ厚であるか否かを判断する。もしそうであるなら、直ちに、カセット種別が、Ｅ３００であると表示でき、これは、Ｅ３００のみが、テープ厚（１２．５〜１３．０μｍ）を有するという事実に基づいている。もし、測定値が、Ｅ３００カセット種別の厚さでなければ、次のブロック２０１において、測定値が、Ｅ２４０カセット種別、Ｅ２１０カセット種別、カムコーダで使用される小さいＥＣ４５カセット種別が有する、テープ厚（１５．１μｍ〜１６．１μｍ）に該当するか否かを判定する。もしそうであるなら、ブロック３００において、テープ長測定の結果が、Ｅ２４０カセット種別のテープ長であるか否かが判定される。もしそうであるなら、テープ厚測定結果とテープ長測定結果の評価結果として、Ｅ２４０カセット種別が表示される。しかし、もし、テープ長測定が、Ｅ２４０カセット種別のテープ長に相当しない場合は、ブロック３０１において、テープ長測定の結果が、Ｅ１８０カセット種別のテープ長に相当するか否かが判定される。もしそうであるなら、Ｅ２１０カセット種別が表示される。その理由は、Ｅ２１０は、一方ではＥ２４０のテープ厚さを有し、他方では２つのテープリール及びリールコアの占有面積からはＥ１８０とは、区別できないからである。もしブロック３０１での判定が結果へと導かないならば、本発明によるカセット種別決定の測定処理を、少なくとも１度繰り返し、それでも識別できない場合は、「不明」又は同じ意味を有する符号を表示する。
【００３５】
もし、ブロック２０１でテープ厚測定の評価が、否定的であるならば、ブロック２０２において、測定値が、Ｅ１８０、Ｅ１５０、Ｅ１２０、Ｅ９０、Ｅ６０及びＥ３０カセット種別と、カムコーダで使用される小さいＥＣ３０カセット種別が有する、テープ厚（１７．０〜２０．０μｍ）に相当するか否かを判定する。もしそうであるなら、テープ長の測定値が、Ｅ２４０のカセット種別のテープ長に相当するか否かが、第１に判断される。もしそうであるなら、Ｅ１９５カセット種別と識別される。これは、Ｅ２４０とＥ１９５の２つのテープリール及びリールコアによって生じる領域は、最悪の場合において、完全に一致するが、Ｅ２４０カセット種別は、決定されるものとは、異なるテープ種別のクラスに属するからである。もしブロック３０２における判定が、否定的であるならば、ブロック３０３において、テープ長の測定値が、Ｅ１８０、Ｅ１５０、Ｅ１２０、Ｅ９０、Ｅ６０又はＥ３０のカセット種別に相当するか否かが判断され、もし該当するなら、それぞれ、Ｅ１８０、１５０、Ｅ１２０、Ｅ９０、Ｅ６０又はＥ３０カセット種別が表示される。対してブロック３０３での判定が否定的であるなら、本発明によるカセット種別識別方法を、同じように、少なくとも１度繰り返し、否定的な評価結果が確認されたなら、「不明」又は同じ意味を有する符号を表示する。
【００３６】
しかし、もし、ブロック２０２の判定が否定的であるならば、ブロック２０３において、テープ厚の測定値が、増加係数により拡大された、カムコーダで使用される小さなＥＣ３０カセット種別のテープ厚（１７．０〜２０．０μｍ）に相当するか否かが判定される。もし、ブロック２０３での評価結果が肯定的であるなら、ＥＣ３０カセット種別が表示される。対して、もし、評価結果が、否定的であるなら、ブロック２０４において、テープ厚の測定値が、増加係数により拡大された、カムコーダで使用される小さなＥＣ４５カセット種別のテープ厚（１５．１〜１６．１μｍ）に相当するか否かが判定される。もし、評価結果が肯定的であるなら、ＥＣ４５カセット種別が表示される。対して、もし、ブロック２０４での評価結果が、否定的であるなら、本発明によるカセット種別識別方法を、同じように、少なくとも１度繰り返し、否定的な評価結果が確認されたなら、「不明」又は同じ意味を有する符号を表示する。
【図面の簡単な説明】
【００３７】
【図１】本発明の実施形態の構成を示すブロック図である。
【図２】図１における回路の動作を示すフローチャートである。
【符号の説明】
【００３８】
１  テープカセット
２  記録媒体
３、４  リールコア
５、６  テープリール
７  調整駆動モータ
８  キャプスタンシャフト
９  テープピンチローラ
１０  回転速度生成器
１１、１２  シャフト
１３、１４  モータ
１５、１６  パルストランスミッタ
１７、１８  測定回路
１９  破線
２０  第１の測定装置
２１  メモリ回路
２２  第１の演算装置
３０  第２の測定装置
３１  第２の演算装置
４０  評価回路
４１  表示装置
５０  回路
【図１】
2005129228.tif 000008
【図２】
2005129228.tif 000009